(57)【要約】【課題】  異なる形式の視聴契約者の認証手段を有する放送形式において共通して使用可能な限定受信放送用ＩＣカード、及びそれを使用する受信装置を提供する。【解決手段】  本発明に係る限定受信放送用ＩＣカードは、カード内部にＢ−ＣＡＳカード機能とＳ−ＣＡＳカード機能の双方を備えており、これを挿入された本発明に係る受信装置は、現行デジタル放送を受信した際には限定受信放送用ＩＣカード内部のＢ−ＣＡＳカード機能を、サーバ型放送受信時には限定受信放送用ＩＣカード内部のＳ−ＣＡＳカード機能を用いて視聴者認証を受け、コンテンツ信号のデスクランブルを行う。【選択図】        図３
2007013685.tif 000002
【特許請求の範囲】
【請求項１】
放送電波を介して受信される暗号化されたデジタル放送を視聴するための第１のスクランブル鍵を発生する第１スクランブル鍵発生部と、
インターネットを介して受信される暗号化されたサーバ型放送を視聴するための第２のスクランブル鍵を発生する第２スクランブル鍵発生部と、を備えることを特徴とする限定受信放送用ＩＣカード。
【請求項２】
マスター鍵情報を記憶するマスター鍵記憶部と、
前記マスター鍵記憶部に記憶されたマスター鍵情報を用いて放送電波に含まれる暗号化されたＥＭＭ信号を復号する第１のＥＭＭ復号部と、
前記第１のＥＭＭ復号部により復号された第１のＥＭＭ復号信号に含まれる第１のワーク鍵情報を用いて放送電波に含まれる暗号化されたＥＣＭ信号を復号する第１のＥＣＭ復号部と、
前記第１のＥＭＭ復号信号と前記第1のＥＣＭ復号部により復号された第１のＥＣＭ復号信号とよりコンテンツ視聴の可否を判定し、所定の要件を満たすときのみ前記第１のＥＣＭ復号信号より暗号化された放送電波に含まれるコンテンツ信号を復号するスクランブル鍵を発信するコンテンツ視聴可否判定部と、
秘密鍵情報を記憶する秘密鍵記憶部と、
前記秘密鍵記憶部に記憶された秘密鍵情報を用いてネットワークを介して受信した信号に含まれる暗号化されたＥＭＭ信号を復号する第２のＥＭＭ復号部と、
前記第２のＥＭＭ復号部により復号された第２のＥＭＭ復号信号に含まれる第２のワーク鍵情報を用いてネットワークを介して受信した信号に含まれる暗号化されたＥＣＭ信号を復号し、暗号化された放送電波に含まれるコンテンツ信号を復号するスクランブル鍵を含む復号された第２のＥＣＭ復号信号を発信する第２のＥＣＭ復号部と、を備えることを特徴とする限定受信放送用ＩＣカード。
【請求項３】
デジタル放送電波を受信する放送電波受信部と、
前記放送電波受信部より受信したデジタル放送電波に含まれる第１のＥＣＭ信号と第１のＥＭＭ信号を分離する信号分離部と、
インターネット回線と接続して第２のＥＣＭ信号と第２のＥＭＭ信号を含むコンテンツ信号を受信するインターネット回線接続部と、
前記第１のＥＣＭ信号と前記第１のＥＭＭ信号とを復号して前記デジタル放送電波に含まれる暗号化されたコンテンツ信号を復号化する第１のスクランブル鍵、及び前記第２のＥＣＭ信号と前記第２のＥＭＭ信号とを復号して前記インターネット回線を介して受信した暗号化されたコンテンツ信号を復号化する第２のスクランブル鍵を発生する限定受信放送用ＩＣカードと接続するＩＣカード接続部と、
前記ＩＣカード接続部と接続された前記限定受信放送用ＩＣカードより発生された第１のスクランブル鍵を用いた前記デジタル放送電波に含まれる暗号化されたコンテンツ信号の復号化、或いは前記限定受信放送用ＩＣカードより発生された第２のスクランブル鍵を用いた前記インターネット回線を介して受信した暗号化されたコンテンツ信号の復号化を行うコンテンツ信号復号部と、を備えることを特徴とする受信装置。
【請求項４】
前記ＩＣカード接続部は、前記限定受信放送用ＩＣカードに蓄積された視聴情報を前記限定受信放送用ＩＣカードより受信して公衆電話回線を介して前記デジタル放送電波の送信事業者へ通知させることを特徴とする請求項３記載の受信装置。
【請求項５】
前記ＩＣカード接続部は、インターネット回線と接続可能な際には前記視聴情報を前記限定受信放送用ＩＣカードに蓄積されることなく前記限定受信放送用ＩＣカードより受信してインターネット回線を介して前記デジタル放送電波の送信事業者へ通知させることを特徴とする請求項４記載の受信装置。
【発明の詳細な説明】
【技術分野】
【０００１】
本発明は、限定受信放送用ＩＣカード及びそれを使用する受信装置に関し、特に現行放送用Ｂ−ＣＡＳカードとサーバ型放送受信に対応するＩＣカードとを組み合わせた新たなＩＣカード及びこのＩＣカードを使用する受信装置に関する。
【背景技術】
【０００２】
ＢＳデジタル放送に続き地上波デジタル放送も開始され、テレビ放送は、アナログ放送の時代からデジタル放送の時代へと変化してきている。
【０００３】
デジタル放送のメリットは、受信環境によっては受信電波が弱かったりノイズが含まれたりといったことによる視聴画像の劣化が生じ難い点にある。また、デジタル信号のまま記録をすることにより、番組録画の画像も高画質を維持できることにある。
【０００４】
また、デジタル化と共に、放送局と視聴者との間における双方向通信も可能となり、コンテンツ毎に課金する有料放送も可能となった。
【０００５】
有料放送を前提とした放送システムにおいては、視聴者を識別し、視聴の許可された視聴者のみにコンテンツの視聴を可能とする仕組みが必要となる。この有料放送に使用される仕組みを、一般的に限定受信方式といい、前記Ｂ−ＣＡＳカードはＢ−ＣＡＳ方式と呼ばれる限定受信方式に使用されるＩＣカードの例である。
【０００６】
現行のＢＳデジタル放送などにおいては、受信装置毎にＢ−ＣＡＳカードと呼ばれるＩＣカードが必要とされ、スクランブルのかけられた放送の放送信号をデスクランブルするためには、この放送局（コンテンツ提供）側と契約し、デスクランブルするための情報を記憶したＢ−ＣＡＳカードが不可欠である。従来、このような方式により放送局（コンテンツ提供）側と契約した視聴者のみにコンテンツを視聴可能としている。
【０００７】
また、有線放送においても、カードを用いて加入者であるか否かを識別する方法が考えられている（例えば、特許文献１参照）。
【特許文献１】特開平１０−２４８０５９号公報
【発明の開示】
【発明が解決しようとする課題】
【０００８】
しかしながら、コンテンツを送信する事業者の形態が多様化するに連れ、その放送形式も異なり、それぞれの放送形式に対応した限定受信方式が求められるため、放送形式毎の限定受信方式およびその限定受信方式に対応したＩＣカードが必要となる。
特に、サーバ型放送と呼ばれる、視聴者の要求するタイミングでネットワーク上のサーバに蓄積されたコンテンツをネットワークを介して配信する放送形式が、今後発達すると考えられているが、この形式は従来型の放送形式と全く異なる番組配信形式であるため、新たな限定受信方式が求められている。このため、現行放送とサーバ型放送の両方の放送形式により番組視聴を望む視聴者は、それぞれの限定受信方式対応したＩＣカードおよびそのＩＣカードに応じた受信装置が必要となってしまう。
【０００９】
従って、本発明の目的は、異なる限定受信方式に対応した放送形式において共通して使用可能な限定受信放送用ＩＣカード、及びそれを使用する受信装置を提供することにある。
【課題を解決するための手段】
【００１０】
本発明は、上記目的を達成するため、放送電波を介して受信される暗号化されたデジタル放送を視聴するための第１のスクランブル鍵を発生する第１スクランブル鍵発生部と、インターネットを介して受信される暗号化されたサーバ型放送を視聴するための第２のスクランブル鍵を発生する第２スクランブル鍵発生部と、を備えることを特徴とする限定受信放送用ＩＣカードを提供する。
【００１１】
また、本発明は、マスター鍵情報を記憶するマスター鍵記憶部と、前記マスター鍵記憶部に記憶されたマスター鍵情報を用いて放送電波に含まれる暗号化されたＥＭＭ信号を復号する第１のＥＭＭ復号部と、前記第１のＥＭＭ復号部により復号された第１のＥＭＭ復号信号に含まれる第１のワーク鍵情報を用いて放送電波に含まれる暗号化されたＥＣＭ信号を復号する第１のＥＣＭ復号部と、前記第１のＥＭＭ復号信号と前記第1のＥＣＭ復号部により復号された第１のＥＣＭ復号信号とよりコンテンツ視聴の可否を判定し、所定の要件を満たすときのみ前記第１のＥＣＭ復号信号より暗号化された放送電波に含まれるコンテンツ信号を復号するスクランブル鍵を発信するコンテンツ視聴可否判定部と、秘密鍵情報を記憶する秘密鍵記憶部と、前記秘密鍵記憶部に記憶された秘密鍵情報を用いてネットワークを介して受信した信号に含まれる暗号化されたＥＭＭ信号を復号する第２のＥＭＭ復号部と、前記第２のＥＭＭ復号部により復号された第２のＥＭＭ復号信号に含まれる第２のワーク鍵情報を用いてネットワークを介して受信した信号に含まれる暗号化されたＥＣＭ信号を復号し、暗号化された放送電波に含まれるコンテンツ信号を復号するスクランブル鍵を含む復号された第２のＥＣＭ復号信号を発信する第２のＥＣＭ復号部と、を備えることを特徴とする限定受信放送用ＩＣカードを提供する。
【００１２】
更に、本発明は、デジタル放送電波を受信する放送電波受信部と、前記放送電波受信部より受信したデジタル放送電波に含まれる第１のＥＣＭ信号と第１のＥＭＭ信号を分離する信号分離部と、インターネット回線と接続して第２のＥＣＭ信号と第２のＥＭＭ信号を含むコンテンツ信号を受信するインターネット回線接続部と、前記第１のＥＣＭ信号と前記第１のＥＭＭ信号とを復号して前記デジタル放送電波に含まれる暗号化されたコンテンツ信号を復号化する第１のスクランブル鍵、及び前記第２のＥＣＭ信号と前記第２のＥＭＭ信号とを復号して前記インターネット回線を介して受信した暗号化されたコンテンツ信号を復号化する第２のスクランブル鍵を発生する限定受信放送用ＩＣカードと接続するＩＣカード接続部と、前記ＩＣカード接続部と接続された前記限定受信放送用ＩＣカードより発生された第１のスクランブル鍵を用いた前記デジタル放送電波に含まれる暗号化されたコンテンツ信号の復号化、或いは前記限定受信放送用ＩＣカードより発生された第２のスクランブル鍵を用いた前記インターネット回線を介して受信した暗号化されたコンテンツ信号の復号化を行うコンテンツ信号復号部と、を備えることを特徴とする受信装置を提供する。
【００１３】
本発明によれば、現行の有料デジタル放送とサーバ型放送の双方を受信するために１つのＩＣカードにより視聴可能となり、放送形式毎に異なるＩＣカードおよびＩＣカードに対応した受信装置を設置することが不用となる。
【００１４】
上記ＩＣカード接続部は、前記限定受信放送用ＩＣカードに蓄積された視聴情報を前記限定受信放送用ＩＣカードより受信して公衆電話回線を介して前記デジタル放送電波の送信事業者へ通知させるように構成してもよい。
【００１５】
また、上記ＩＣカード接続部は、インターネット回線と接続可能な際には前記視聴情報を前記限定受信放送用ＩＣカードに蓄積されることなく前記限定受信放送用ＩＣカードより受信してインターネット回線を介して前記デジタル放送電波の送信事業者へ通知させるように構成してもよい。
【発明の効果】
【００１６】
本発明によれば、１つの受信装置と１つのＩＣカードにより、スクランブルされたデジタル放送とサーバ型放送の双方を受信することができる。
【発明を実施するための最良の形態】
【００１７】
以下、本発明に係る受信装置について、図面を参照しつつ説明する。
【００１８】
（受信装置の外観）
図１は、本発明に係る受信装置１の外観及び受信装置１においてＴＶ放送を視聴する際の設置環境を示す外観図である。
【００１９】
受信装置１には、ＴＶ放送を受信するためのアンテナ２と、サーバ型放送を受信する受信するためのインターネット端末３と、衛星放送の放送局との間で番組視聴情報を通信するための電話回線端末４と、が接続されている。
【００２０】
また、受信装置１には、番組視聴を可能にするためのＩＣカード６（後述）を挿入するためのカードスロット１４１、受信した番組の画像を表示するモニタ１６１、音声を発生するスピーカ１７１及びリモコン５から送信される赤外線信号を受信するリモコン受信部２１１を備えている。
【００２１】
なお、図１においては、アンテナ２は衛星放送受信用のパラボラアンテナを用いているが、本発明はこれに限らず、衛星放送の受信のみでなく地上波デジタル放送を受信するものであってもよい。
【００２２】
（受信装置の内部構成）
図２は、本発明に係る受信装置１の内部構成を示すブロック図である。
【００２３】
受信装置１は、ＣＰＵ１１と、メモリ１２と、通信部１３と、カード用インターフェイス（Ｉ／Ｆ）１４と、信号変換部１５と、画像表示部１６と、音声発生部１７と、受信部１８と、ネットワークＩ／Ｆ１９と、電話モデム２０と、リモコン用Ｉ／Ｆ２１と、メイン内部バス２２とからなる。
【００２４】
ＣＰＵ１１は、受信装置１における各機能の制御を司るものであり、各構成部に対して信号を送信し、各種動作を実行させる。
【００２５】
メモリ１２は、受信装置１を駆動させるためにＣＰＵ１１に実行させるプログラムの格納や、当該プログラムに用いられる各種パラメータ等の一時的な格納、後述するＩＤ情報の格納のために用いられるものであり、具体的には、ＲＯＭ、ＲＡＭ、ＨＤＤなどが該当する。
【００２６】
カード用Ｉ／Ｆ１４は、上述のカードスロット１４１に挿入されたＩＣカード６との間における通信を行うものであり、ＩＣカード６がカードスロット１４１に挿入され、所定の位置に固定されることにより、ＩＣカード６と受信装置１とが通信可能となり、全体として各種ＴＶ放送の受信可能なシステムとなる。
【００２７】
信号変換部１５は、受信装置１が受信したＴＶ放送の信号を、再生可能な信号に変換するものであり、信号のデスクランブルやデコードを行う。画像表示部１６は、受信したＴＶ番組の画像などを表示するものである。また、音声発生部１７は、受信したＴＶ番組の音声などを発生するものである。
【００２８】
受信部１８は、アンテナ２の受信したＴＶ放送電波を電気信号として受信するものであり、具体的にはチューナやデジタル信号から映像音声信号の分離処理部、後述するＥＭＭ、ＥＣＭ、ＳＩ／ＰＳＩなど各種信号の分離処理部に相当する。この分離処理部ではメモリ１２に一時的に格納されたＩＤ情報を使用するが、詳細は後述の図３を使用した説明にて行う。
【００２９】
ネットワークＩ／Ｆ１９は、インターネット端末３と接続され、外部サーバ等との間でデータの送受信を行うものであり、サーバ型放送のコンテンツの受信や、コンテンツ視聴情報の送信を行う。
【００３０】
電話モデム２０は、電話回線端末４と接続され、電話回線によるデータの送受信を行うものであり、インターネットへの接続がされていない状況において、放送局に対するコンテンツ視聴情報の送信等を行う。
【００３１】
リモコン用Ｉ／Ｆ２１は、ユーザの操作によるリモコン５の発する各種信号を受信するものであり、当該信号を受信し、受信内容をＣＰＵに伝達する。
【００３２】
メイン内部バス２２は、各構成部を電気的に接続するものであり、各構成部から発せられた電気信号が、メイン内部バスを介して、他の構成部へと送信される。
【００３３】
また、統合ＩＣカード６は、いずれも図示しないＣＰＵとプログラムＲＯＭ、ＲＡＭ、不揮発メモリ等から成るいわゆるマイコンシステムである。
【００３４】
（受信装置１における番組受信の動作）
次に本発明に係る受信装置１における、番組受信時の動作について、図を参照しつつ説明する。
【００３５】
図３は、本発明に係る受信装置１における番組受信時の動作を示す機能ブロック図の一例である。受信装置１は、サーバ型放送と現行の放送、すなわちARIB STD-B25第１部準拠の限定受信方式の両方に対応した受信装置である。
【００３６】
現行型ＴＶ放送を受信する際には、アンテナ２を介してコンテンツを受信する。アンテナ２はＴＶ放送を受信するためのアンテナであり、アンテナ２で受信したＴＶ信号は受信装置１に入力される。受信装置１の選局部１０１では、視聴者が指定したチャンネルの信号を選択し、復調処理、同期検出、エラー訂正処理などが行われる。なお視聴者からのチャンネルの指定は、右下のリモコン５から発信された信号を、リモコン受信部２１で受け、システムコントロール部１１０で解析後、図示しない信号線を通じて、選局部１０１へ通知されるものとする。なお、ここでシステムコントロール部１１０は上述のＣＰＵ１１、メモリ１２およびメイン内部バス２２に相当する。
【００３７】
選局部１０１からの出力は、切替部１０２および分離部１０３へ与えられる。切替部１０２は受信装置１がサーバ型放送を受信中の場合にはネットワークＩ／Ｆ１９の出力を、現行放送受信中の場合には選局部１０１からの出力を選択し、デスクランブラ部１０４へ入力する。デスクランブラ部１０４では視聴者が選択した番組の映像、音声信号やデータ放送信号を視聴可能なようにデスクランブル処理する。このデスクランブラ部１０４へ与えられるスクランブル鍵は統合ＩＣカード６内の切替部６３から出力される。なお、ここではデスクランブラ部１０４はサーバ型放送と現行の放送ともに同じスクランブル方式を使用するものとして説明するが、サーバ型放送と現行の放送が異なるものであっても良い。その場合には、受信装置１がどちらの放送を受信しているのかに従い、デスクランブラ部１０４ではサーバ型放送か現行の放送のいずれかのデスクランブル処理を行うものとする。
【００３８】
デスクランブラ部１０４でデスクランブル処理された信号は、デコーダ部１０５でデコード処理され、映像はモニタ部１０６に表示され、音声はスピーカ部１０７から出力される。なおデスクランブル後の信号を、図示しない出力インターフェースから出力させることも可能である。
【００３９】
分離部１０３へ与えられた信号は、少なくとも、統合ＩＣカード６に与えられるＥＣＭ（Entitlement Control Message）、統合ＩＣカード６に与えられるＥＭＭ（Entitlement Management Message）、ＳＩ／ＰＳＩ処理部（図示しない）で処理すべきデータ、の３つの信号を分離する。
【００４０】
ＥＣＭ、ＥＭＭは現行の放送を受信する場合に必要な情報であって、統合ＩＣカード６の処理部が処理するものであり、詳細は後述する統合ＩＣカード６の動作説明において行う。なお、受信装置１がサーバ型放送を受信中の場合には、このＥＣＭ、ＥＭＭを統合ＩＣカード６で処理する必要はないが、ＥＭＭに関しては定期的な更新があるため、受信装置１がサーバ型放送を受信中の場合であっても統合ＩＣカード６で受信処理できるようにすることが望ましい。一方、ＳＩ／ＰＳＩ処理部で処理すべきデータは、例えば電子番組表（ＥＰＧ）などのデータや番組とＥＣＭ、ＥＭＭを関係付けるデータ等である。
【００４１】
分離部１０３で分離された統合ＩＣカード６に与えられるＥＭＭは、フィルタリング部１０８に送られ、更に当該統合ＩＣカード６用のＥＭＭのみが分離される。この分離には統合ＩＣカード６に与えられたＩＤが使用される。このＩＤは個々のＩＣカードごとに異なるＩＤであり、図３においては図示していないが統合ＩＣカード６内の不揮発メモリ内に製品出荷前に記憶されているものである。受信装置１では統合ＩＣカード６が差し込まれた際、あるいは受信装置１の電源が入った際に、統合ＩＣカード６内の図示しない不揮発メモリからＩＤを読み出し、受信装置１のＩＤ記憶部１０９へ転送されるものとする。そしてこのＩＤを使用し、フィルタリング部１０８において、統合ＩＣカード６用のＥＭＭのみが分離された後、統合ＩＣカード６に与えられる。
【００４２】
統合ＩＣカード６で記憶された視聴情報は、定期的に、もしくはＥＭＭなどの情報を通じた放送局からの制御信号により、放送局側の視聴者管理部に回収される。ここで視聴情報とは番組ごとに料金設定がされているペイパービュー番組を視聴した際に、統合ＩＣカード６で記憶し、視聴後に料金を精算するために使用する情報のことであり、詳細は後述する。この視聴情報の回収にあたっては電話モデム２０を通じて、統合ＩＣカード６と放送局側の視聴者管理部とが通信を行う。なお、図１においては情報の流れを見やすくするために、統合ＩＣカード６が電話モデム２０を通じて放送局側の視聴者管理部と通信する図になっているが、実際には、システムコントロール部１１０が通信の制御を行い、情報もシステムコントロール部１１０経由で授受されるものである。
【００４３】
受信装置１がサーバ型放送に対応するためにインターネットに接続されている場合には、前記視聴情報について放送局側の視聴者管理部に送付するために電話モデム２０を通じて送付しなくとも、統合ＩＣカード６内のＢ−ＣＡＳカード機能部６１からＳ−ＣＡＳカード機能部６２へ信号経路が接続されており、Ｂ−ＣＡＳカード機能部６１からＳ−ＣＡＳカード機能部６２へ視聴情報を渡した上、インターネット経由で視聴情報を放送局側の視聴者管理部に送付することも可能である。
【００４４】
一方、サーバ型放送を受信する際には、インターネット端末３を経由してコンテンツを受信する。インターネット端末３は、インターネットによりサーバ型放送のサービスを提供するサーバに接続するための端子であり、例えばＡＤＳＬ回線による接続においてはＡＤＳＬモデムを介して電話回線へ接続される。また、ＡＤＳＬ回線以外にも光ファーバーケーブルを利用した方式や他の方式であってもよい。
【００４５】
インターネット端末３は、受信装置１のイーサネット（登録商標）・インターフェイス・コネクタを介してネットワークＩ／Ｆ１９とイーサネット（登録商標）で接続される。なお、イーサネット（登録商標）も一例であり、他の方式による接続でも良い。このインターネット端末３を介して、受信装置１はサーバ型放送サービスを提供する図示しないサーバと接続される。
【００４６】
ネットワークＩ／Ｆ１９ではサーバ型放送サービスによるスクランブルされたコンテンツが分離され、切替部１０２を介してデスクランブラ部１０４へ与えられる。切替部１０２は、上述の選局部１０１からの現行放送の信号とネットワークＩ／Ｆ１９からのサーバ型放送の信号の双方を受信し、そのいずれかを選択して回路を切り替え、デスクランブラ部７へと送信する。
【００４７】
サーバ型放送サービスによるコンテンツの選択データは、視聴者がリモコン５を操作し発信された信号を、リモコン受信部２１で受け、システムコントロール部１１０で解析後、図示しない信号線を通じ、さらにネットワークＩ／Ｆ１９、インターネット端末３を介してサーバへ通知され、通知されたコンテンツの選択データによりコンテンツが選択される。なお、コンテンツを選択する際に使用するコンテンツの選択画面は、例えば番組表を文字等で表示する形式であったり、コンテンツの縮小画面をサムネイル表示する形式等であり、コンテンツの選択画面はサーバから映像、音声信号として直接提供されても、あるいはまたデータ放送信号として受信装置１に与えられ、受信装置１で選択画面を作成し提示しても良い。
【００４８】
統合ＩＣカード６には、Ｂ−ＣＡＳカード機能部６１と、Ｓ−ＣＡＳカード機能部６２と、切替部６３とが含まれる。Ｂ−ＣＡＳカード機能部６１は、統合ＩＣカード６を従来型放送受信用のＢ−ＣＡＳカードとして機能させるために有する部分であり、Ｓ−ＣＡＳカード機能部６２はサーバ型放送受信の際におけるＢ−ＣＡＳカードと同様の機能を有するカードとして機能させるために有する部分である。また、切替部６３は、Ｂ−ＣＡＳカード機能部６１とＳ−ＣＡＳカード機能部６２のいずれかのデスクランブル用の鍵出力を切替え、この切替えにより選択された方から送信されるデスクランブル用の鍵をデスクランブラ部１０４へと送信する。
【００４９】
（現行放送受信時の動作）
図４は、図３に示す本発明にかかる受信装置１がインターネット端末３と接続されていない状態であり、現行放送のみ、すなわちARIB STD-B25第１部準拠の限定受信方式のみに対応した状態で機能しうる構成部のみを表示した機能ブロック図である。各構成部における動作は、上述の通りである。
【００５０】
現行放送を受信する場合、統合ＩＣカード６においてはＳ−ＣＡＳカード機能部６２は機能せず、統合ＩＣカード６はＢ−ＣＡＳカードとして機能する。このときの統合ＩＣカード６の機能を説明する。
【００５１】
図５は、統合ＩＣカード６内のＢ−ＣＡＳカード機能部６１についての機能ブロック図である。Ｂ−ＣＡＳカード機能部６１には、ＥＣＭ復号部６１１、ＥＭＭ復号部６１２、Ｋｍｉ記憶メモリ６１３、ＥＭＭメモリ６１４、視聴可否判定部６１５及び視聴情報メモリ６１６が含まれる。
【００５２】
分離部１０３よりＥＣＭ復号部６１１へ入力されたＥＣＭは、暗号復号処理される。この復号処理に使用される鍵は、後述するＥＭＭの情報の一部として伝送されたワーク鍵Ｋｗである。復号後のＥＣＭは視聴可否判定部６１５に与えられる。このＥＣＭでは、放送コンテンツ（映像、音声データなど）の暗号化に使用されるスクランブル鍵や、このＥＣＭが関連付けられた番組の視聴条件を示す情報が伝送される。ここで視聴条件を示す情報とは、放送が有料放送であるか無料放送であるかを表す情報のほか、有料放送である場合には、後述するＥＭＭ（視聴契約情報）と比較し視聴が可能かどうかを判定するための情報であり、番組の視聴条件を示す情報である。
【００５３】
分離部１０３よりフィルタリング部１０８を介してＥＭＭ復号部６１２へ入力されたＥＭＭも、ＥＣＭと同様に暗号復号処理される。この復号処理に使用される鍵は、製品出荷前にマスター鍵としてＫｍｉ記憶メモリ６１３に記憶されているものであり、個々のＩＣカードごとに異なる鍵である。復号後のＥＭＭは不揮発のＥＭＭメモリ６１４に記憶され、視聴可否判定部６１５に与えられる。このＥＭＭメモリ６１４には前述のワーク鍵Ｋｗも記憶され、ＥＣＭ復号部６１１へ与えられる場合もあるが、図５では鍵の３重構造を見やすくするため、ＥＭＭ復号部６１２にワーク鍵Ｋｗを記憶する不揮発メモリがある前提として図示している。
【００５４】
以上説明したようにＥＭＭには、ＥＣＭを復号するためのワーク鍵Ｋｗや、有料放送の場合には番組の視聴契約条件（視聴できる番組、チャンネル、視聴期限など）を含む情報が含まれる。なお、ワーク鍵Ｋｗはセキュリティーの低下を防ぐという目的から、定期的に例えば１月に１度などという更新周期で更新することがあり、更新時には事前に全ての視聴契約者に向けて更新予定の新しいワーク鍵をＥＭＭに入れ送付するようになっている。放送局では新しいワーク鍵の入ったＥＭＭをほぼすべての受信機が受信した頃を見計らってワーク鍵を更新するものである。すなわち統合ＩＣカード６では、更新されたワーク鍵を含むＥＭＭを受信し、統合ＩＣカード６内のワーク鍵を含むＥＭＭメモリ６１４に記憶するものである。
【００５５】
次に統合ＩＣカード６の視聴可否判定部６１５では、ＥＣＭ復号部６１１から得たＥＣＭとＥＭＭメモリ６１４に記憶されているＥＭＭとを比較し、視聴可否判定する。この場合の処理の概要は下記である。
【００５６】
（１）有料放送の場合では、前述のようにＥＭＭ内で伝送された視聴契約条件に従い、受信した番組が視聴可能かどうか判定し、視聴可能な場合には、ＥＣＭ内のスクランブル鍵を取り出し、出力する。しかし、もし視聴契約が無く、当該番組を視聴する権利が無いと判定した場合には、スクランブル鍵の出力は行わないほか、図示はしないが統合ＩＣカード６から当該番組が視聴不可であることを示す情報を出力する。この情報は図４のシステムコントロール部１１０が受け取り、図４では図示しないオンスクリーンディスプレイ表示部等を通じて視聴者に当該番組が視聴不可であることを示すこととなる。
【００５７】
（２）視聴する番組が有料放送であって、さらにペイパービュー番組（ＰＰＶ番組）、すなわち番組単位での視聴権利の販売であり、視聴者が購入意思を示した場合に視聴させる番組の場合には、図示はしないが統合ＩＣカード６から当該番組がＰＰＶ番組であることを示す情報を出力する。この情報は図４のシステムコントロール部１１０が受け取り、図４では図示しないオンスクリーンディスプレイ表示部等を通じて視聴者に当該番組がＰＰＶ番組であることを示すこととなる。さらに番組の料金がＥＣＭもしくはＳＩ／ＰＳＩデータで提供され、あわせてオンスクリーンディスプレイ表示部等を通じて視聴者に提示される場合もある。
【００５８】
このＰＰＶ番組に対し、視聴者が視聴を望む場合には、図４に示すリモコン５を制御して視聴意思を示す信号（ＰＰＶ購入信号）を発信し、この信号を、リモコン受信部２１で受け、システムコントロール部１１０で解析後、図示しない信号線を通じて、統合ＩＣカード６へ通知されるものとする。図５に示す視聴可否判定部６１５では、図示しないＰＰＶ購入信号を受信した場合に、当該ＰＰＶ番組の視聴を許可し、ＥＣＭ内のスクランブル鍵を取り出し、出力するとともに、当該ＰＰＶ番組の視聴実績を記憶しておく視聴情報メモリ６１６に当該ＰＰＶ番組の視聴情報を記憶する。この視聴情報メモリ６１６に記憶された情報は、例えば定期的に放送局側の視聴者管理部に回収され、回収した視聴情報に基づき料金の精算が行われるものである。
【００５９】
（３）一方スクランブルが施された無料放送の場合には、基本的に個々の視聴者（受信機）ごとに視聴契約を行うことはないため、視聴可否判定処理は行われず、当該ＩＣカードにＥＣＭを復号するためのワーク鍵Ｋｗが記憶されていればＥＣＭが復号でき、スクランブル鍵の取出しが可能となり、視聴可能となる。
【００６０】
以上説明したように、受信装置１がインターネット端末３と接続されていない状態でありサーバ型放送に対応しない場合や受信装置がサーバ型放送に対応しない受信装置である場合、統合ＩＣカード６はＢ−ＣＡＳカード機能部６１のみが動作し、Ｓ−ＣＡＳカード機能部６２は動作しない。なお、図３では機能ブロック図としてこのような図を示しているが、実際の受信装置１と統合ＩＣカード６とのインターフェースはＢ−ＣＡＳカード機能部６１とＳ−ＣＡＳカード機能部６２が同じインターフェースを共有するものであり、ARIB STD-B25第１部に記載の通り、例えば以下のようなものである。
ICカードの形状、物理仕様：ISO 7816-1:1987準拠
端子の位置と形状        ：ISO 7816-2 :1988準拠
電気信号及びプロトコル  ：ISO 7816-3:1997準拠
【００６１】
このように、受信装置１がインターネット端末３と接続されていない状態でありサーバ型放送に対応しない場合や、受信装置がサーバ型放送に対応しない従来型受信装置である場合には、統合ＩＣカード６は受信装置１がサーバ型放送に対応しないことを検知し、統合ＩＣカード６内のＳ−ＣＡＳカード機能部６２を動作させることはない。この受信装置１の状況を統合ＩＣカード６が把握するために、統合ＩＣカード６が差し込まれた際、あるいは受信装置１の電源が入った際に、統合ＩＣカード６と受信装置１が通信を行い、統合ＩＣカード６が受信装置１の状況を把握するものとする。例えば、以下に示す何れか方法で把握するものとする。
【００６２】
（１）ARIB STD-B25第1部の4.3.3章コマンド／レスポンスの4.3.3.5パラメータ表に記載されない新たなＩＣカード指示により、統合ＩＣカード６が受信装置１に指示を行ったが、受信装置１が指示に反応しなかった場合、受信装置１はインターネット端末３と接続されていない状態でありサーバ型放送に対応しない受信機、もしくはサーバ型放送に対応しない従来型受信機であると判定する。
【００６３】
（２）受信装置１はARIB STD-B25第1部の4.3.3章コマンド／レスポンスに記載されない新たなコマンドを、統合ＩＣカード６が差し込まれた際、あるいは受信装置１の電源が入った際などの初期通信が必要な条件において発行するものとし、受信装置１がこの新たなコマンドを発行しなかった場合、受信装置１はインターネット端末３と接続されていない状態でありサーバ型放送に対応しない受信機、もしくはサーバ型放送に対応しない従来型受信機であると判定する。
【００６４】
（サーバ型放送受信時の動作）
図６は、図３に示す本発明にかかる受信装置１がサーバ型放送のサービスのみに対応した状態で機能しうる構成部のみを表示した機能ブロック図である。各構成部における動作は、上述の通りである。
【００６５】
サーバ型放送を受信する場合、統合ＩＣカード６においてはＢ−ＣＡＳカード機能部６１は機能せず、統合ＩＣカード６はＳ−ＣＡＳカードとして機能する。このときの統合ＩＣカード６の機能を説明する。
【００６６】
図７は、統合ＩＣカード６内のＳ−ＣＡＳカード機能部６２についての機能ブロック図である。Ｓ−ＣＡＳカード機能部６２には、ＥＣＭ復号部６２１、ＥＭＭ復号部６２２及びＫｐｓ記憶メモリ６２３が含まれる。
【００６７】
ネットワークＩ／Ｆ１９よりＥＣＭ復号部６２１へ入力されたＥＣＭは、暗号復号処理される。この復号処理に使用される鍵は、後述するＥＭＭの情報の一部として伝送されたワーク鍵Ｋｗである。復号後のＥＣＭからコンテンツ（映像、音声データなど）の暗号化に使用されるスクランブル鍵を取得する。なお、コンテンツの特定やそのコンテンツに対する視聴条件の判定は、従来の放送の受信処理とは異なり、後述するＥＭＭの取得処理において行われている。
【００６８】
同じくネットワークＩ／Ｆ１９より統合ＥＭＭ復号部６２２へ入力されたＥＭＭも、ＥＣＭと同様に暗号復号処理される。このＥＭＭの暗号方式はＰＫＩなど公開鍵暗号方式であり、また復号処理に使用される鍵は、ＰＫＩ方式に使用される鍵であって、公開鍵とペアになっている秘密鍵Ｋｐｓであり、製品出荷前にＫｐｓ記憶メモリ６２３に記憶されている。この鍵Ｋｐｓは、個々のＩＣカードごとに異なる鍵である。サーバから提供されるＥＭＭは秘密鍵Ｋｐｓとペアになっている当該統合ＩＣカード６用の公開鍵Ｋｐｐで暗号化されており、統合ＩＣカード６では秘密鍵Ｋｐｓで復号し、復号後のＥＭＭからは、前述のワーク鍵Ｋｗが取得され、ＥＣＭ復号部６２１へ与えられる。以上説明したＥＭＭには、視聴を希望するコンテンツ用のＥＣＭを復号するためのワーク鍵Ｋｗが含まれる。
【００６９】
なお、ＥＭＭの取得に際しては、視聴前に視聴者が視聴を希望するコンテンツの指定を行い、視聴を希望するコンテンツ用のＥＣＭを復号するためのワーク鍵Ｋｗが含まれるＥＭＭを取得しておくものとする。このコンテンツの指定に関しては、例えば月ぎめ契約など一定期間あるいは所定のコンテンツ群を視聴できるいわゆるティア視聴形態と、コンテンツ単位すなわち従来のＰＰＶと同じようにコンテンツ１つ毎を指定し、課金されるＰＰＶ視聴形態とがある。このティア視聴形態のうち所定のコンテンツ群とは、例えば一連のドラマシリーズとか、スポーツの特定のチームの１シーズンをまとめて視聴する様な形態のことである。
【００７０】
従って、視聴者がコンテンツを視聴する際、ＰＰＶ視聴形態であれば視聴の都度ＥＭＭを取得する必要があるが、ティア視聴形態の場合においては視聴の都度ＥＭＭを取得してもしなくても良い。すなわち統合ＩＣカード６内にワーク鍵Ｋｗを不揮発メモリに記憶しない場合には、視聴の都度サーバにアクセスし、視聴する権利すなわちティア視聴契約がなされているかどうかをサーバが管理、判断し、契約されている場合にはワーク鍵Ｋｗを含むＥＭＭを提供するものとする。あるいは、統合ＩＣカード６内にワーク鍵Ｋｗを含むＥＭＭを不揮発メモリに記憶する場合には、視聴の都度ＥＭＭの取得処理は行わず、スクランブル鍵の取得処理（ＥＣＭの取得処理）とコンテンツの取得処理のみをおこなうものとする。
【００７１】
以上説明したように、受信装置１がサーバ型放送にのみ対応した場合、統合ＩＣカード６はＳ−ＣＡＳカード機能部６２のみが動作し、Ｂ−ＣＡＳカード機能部６１は一部を除いて動作しない。
受信装置１が従来の放送に対応しない場合には、統合ＩＣカード６はＢ−ＣＡＳカード機能部６１の一部を除いて動作させることはない。この受信装置１の状況を統合ＩＣカード６が把握するために、統合ＩＣカード６が差し込まれた際、あるいは受信装置１の電源が入った際に、統合ＩＣカード６と受信装置１が通信を行い、統合ＩＣカード６が受信装置１の状況を把握するものとする。例えば、受信装置１がARIB STD-B25第1部の4.3.3章コマンド／レスポンスの4.3.3.5パラメータ表に記載されたＩＣカード指示により、統合ＩＣカード６が受信装置１に指示を行ったが、受信装置１が指示に反応しなかった場合、受信装置１は従来の放送に対応しないと判定する。このように受信装置１が従来の放送に対応しない場合には、統合ＩＣカード６はＢ−ＣＡＳカード機能部６１の一部を除いて動作させることはない。
【００７２】
受信装置１が従来の放送に対応しない場合に、さらに、例えば、以下に示す何れか方法で受信装置１はサーバ型放送に対応しているか否かを把握するものとする。
【００７３】
（１）ARIB STD-B25第1部の4.3.3章コマンド／レスポンスの4.3.3.5パラメータ表に記載されない新たなＩＣカード指示により、統合ＩＣカード６が受信装置１に指示を行ったが、受信装置１が指示に反応した場合、受信装置１はサーバ型放送に対応と判定する。
【００７４】
（２）受信装置１はARIB STD-B25第1部の4.3.3章コマンド／レスポンスに記載されない新たなコマンドを、統合ICカード６が差し込まれた際、あるいは受信装置１の電源が入った際などの初期通信が必要な条件において発行するものとし、受信装置１がこの新たなコマンドを発行した場合、受信装置１はサーバ型放送に対応と判定する。
【００７５】
デスクランブラ部１０４でデスクランブル処理するためのスクランブル鍵の取得方法について説明する。統合ＩＣカード６のＳ−ＣＡＳカード機能部は、ネットワークI/Ｆ１０８、インターネット端末３を介してサーバと通信する。このサーバと受信装置１、実際には統合ＩＣカード６が通信する内容は例えば下記である。
【００７６】
（１）サーバからのライセンス取得処理（ＥＭＭの取得処理）。受信装置１が当該サーバからコンテンツの提供を受ける権利があることをサーバに認識させるための処理であり、従来の放送におけるＥＭＭの取得処理にあたる。すなわち従来の放送では、視聴契約に応じて定期的にＥＭＭが取得できるように、放送提供側から放送信号でＥＭＭを伝送し受信装置１に受信させていたものを、サーバ型放送にサービスにおいては受信装置１からサーバにアクセスし、ＥＭＭを取得するものである。
【００７７】
このライセンス取得処理には、暗号を利用した既存の処理方法を使用するものとし、例えば、Public Key Infrastructure（PKI）など公開鍵暗号技術と電子署名を使って、インターネットで安全な通信ができるようにするための方法により行えばよい。このほか共通鍵暗号方式を利用した認証処理方法でも良い。なお、共通鍵暗号方式を利用した認証処理方法を使用する場合には、このサーバとのライセンス取得処理に先立って、統合ICカード６と当該サーバが事前に共通鍵を秘密裏に共有しておく必要がある。
このライセンス取得処理において、以後のコンテンツの提供を受ける際に使用するＥＣＭを復号するためのワーク鍵をサーバと受信装置１間で共有する。このワーク鍵は従来の放送におけるＥＣＭの復号鍵と同様である。
【００７８】
（２）スクランブル鍵の取得処理（ＥＣＭの取得処理）。サーバからのライセンス取得処理の結果、当該受信装置１がコンテンツの提供を受ける権利があるとサーバに認識され、受信装置１がＥＭＭを取得した以後、コンテンツをデスクランブルするためのスクランブル鍵を取得する処理である。このスクランブル鍵は従来の放送におけるＥＣＭと同様に、ＥＣＭ内の情報の一部として提供され、受信装置１では前記ライセンス取得処理で取得したワーク鍵を使用してＥＣＭを復号し、スクランブル鍵を取得する。この暗号処理には例えば共通鍵暗号方式を使用する。
【００７９】
（ネットワーク接続時の現行法送受信の処理フロー）
以上説明した例は、受信装置１がサーバ型放送のサービスのみに対応した状態で機能した場合であるが、次に受信装置１がサーバ型放送に対応した場合であってネットワーク接続されている場合を説明する。この場合には、統合ＩＣカード６はＢ−ＣＡＳカード機能部６１が動作し、Ｓ−ＣＡＳカード機能部６２は視聴実績をインターネット経由で視聴情報を放送局側の視聴者管理部に送付するため動作する。なお、統合ＩＣカード６内の機能を説明する都合上、Ｂ−ＣＡＳカード機能部６１、Ｓ−ＣＡＳカード機能部６２等の記載をしているが、実際には統合ＩＣカード６はいわゆるマイコンシステムであり、Ｂ−ＣＡＳカード機能部６１、Ｓ−ＣＡＳカード機能部６２等は、例えばそれぞれ別のアプリケーションもしくはサブルーチンとして動作するものである。従って何れの機能を動作させるのかは、統合ＩＣカード６の例えば上位のアプリケーションもしくはメインプログラムとして動作するものであり、これは図８に示すような処理フローとなる。
【００８０】
図８は、受信装置１がネットワーク接続時において現行法送を受信する際の処理の１例を示すフローチャートである。
【００８１】
受信装置１に統合ＩＣカード６が差し込まれた際、あるいは受信装置１の電源が入った際などにおいて、受信装置１では統合ＩＣカード６を初期リセット処理、すなわちＡＴＲ(Answer To Reset)処理する。このＡＴＲ処理に続いて、例えば前述のように統合ＩＣカード６からのＩＣカード指示により、受信装置１がサーバ型放送に対応しているか否か、またネットワーク接続されているか否かを統合ＩＣカード６が把握するものとする。以上がステップＳ１０１の処理である。
【００８２】
次にステップＳ１０２で、現行の放送を受信するのか否かの判定を行う。サーバ型放送を受信する場合にはステップＳ１０３に進むが、ここでの説明は省略する。
【００８３】
現行の放送を受信する場合にはステップＳ１０４に進み、ステップＳ１０４では月ぎめ視聴などの条件で選択した番組を視聴可能であるのか否かを判定する。視聴判定には前述の通り、ＥＭＭ、ＥＣＭを使用して判定する。この判定の結果、視聴可能である場合にはステップＳ１０６に、視聴不可である場合にはステップＳ１０５に進む。
【００８４】
ステップＳ１０４で視聴不可であった場合、ステップＳ１０５ではＰＰＶによる視聴が可能かどうかを判定する。すなわちオンスクリーンディスプレイ表示部等を通じて視聴者に当該番組がＰＰＶ番組であること、また番組の料金もあわせてオンスクリーンディスプレイ表示部等を通じて視聴者に提示されたうえで、視聴者に購入の意思確認を行い、リモコン等による入力を待つ処理がステップＳ１０５である。なお契約の形態によってはＰＰＶ購入不可の場合もあり、その場合にはステップＳ１０５では視聴者の購入意思の確認を受けることなく視聴不可となる。
【００８５】
このステップＳ１０５において視聴者がＰＰＶ購入の意思を示した場合には視聴可であり、ステップＳ１０６に進む、購入しなかった場合には視聴不可であり、図８に示す処理は終了である。
【００８６】
ステップＳ１０６ではＥＣＭ内のスクランブル鍵を取り出し、統合ＩＣカード６から出力する。受信装置１では出力されたスクランブル鍵を使用し、当該番組を視聴可能となる。
【００８７】
次にステップＳ１０７へ進み、受信装置１がサーバ型放送に対応しているか否かによる分岐を行う。これについては、ステップＳ１０１の処理において統合ＩＣカード６は、既に受信装置１の状況を把握し終えており、あらためて確認する必要はないが、このＰＰＶ視聴開始した以降のタイミングで、再度、統合ＩＣカード６からのＩＣカード指示等により確認しても良いものとする。この分岐条件で、受信装置１がサーバ型放送に対応していない場合にはステップＳ１１１へ、受信装置１がサーバ型放送に対応している場合にはステップＳ１０８へ進む。
【００８８】
次にステップＳ１０８へ進み、受信装置１がネットワーク接続されているか否かによる分岐を行う。これについては、ステップＳ１０１の処理において統合ＩＣカード６は、既に受信装置１の状況を把握し終えており、あらためて確認する必要はないが、このＰＰＶ視聴開始した以降のタイミングで、再度、統合ＩＣカード６からのＩＣカード指示等により確認しても良いものとする。この分岐条件で、受信装置１がネットワーク接続されていない場合にはステップＳ１１１へ、受信装置１がネットワーク接続されている場合にはステップＳ１０９へ進む。
【００８９】
次にステップＳ１０９では、今回視聴したＰＰＶ番組の視聴情報を、ネットワークＩ／Ｆ１９、インターネット端末３を介してネットワーク接続した視聴者管理部に回収させ、ステップＳ１１０で回収が正常に行われたかどうかを判定する。
【００９０】
ステップＳ１１０で回収が正常に行われた場合には図８に示す処理は終了である。なおステップＳ１０６に示すスクランブル鍵の出力は番組の終了まで継続される。しかし回収が正常に行われなかった場合には、ステップＳ１１１にて視聴情報を統合ＩＣカード６のＢ−ＣＡＳカード機能部内に記憶し、次回のＰＰＶ視聴時に再度ネットワークＩ／Ｆ１９、インターネット端末３を介してネットワーク接続した視聴者管理部に回収を実施するか、もしくは電話モデム２０を通じて回収を実施する。いずれの回収を実施するのかは例えば以下の何れかとする。
【００９１】
（１）回収の実施は、
・予め決められたもしくはＥＭＭで指定された例えば月１回の回収タイミングを受信装置１もしくは統合ＩＣカード６が管理し、回収するか
・統合ICカード６内の視聴情報メモリが満杯になる／なりそうな場合に回収する
ものであり、この回収タイミングと次回のＰＰＶ視聴時のいずれが早いのかであって、ＰＰＶ視聴が早い場合には再度ネットワークＩ／Ｆ１９、インターネット端末３を介してネットワーク接続した視聴者管理部に回収を実施する。なお、ネットワーク接続できなかった場合も含め、前記による回収の実施以外は電話モデム２０を通じて回収する。
【００９２】
（２）回収の実施は、
・予め決められたもしくはＥＭＭで指定された例えば月１回の回収タイミングを受信装置１もしくは統合ＩＣカード６が管理し、回収するか
・統合ＩＣカード６内の視聴情報メモリが満杯になる／なりそうな場合に回収する
ものであり、一方インターネット端末３を介してネットワーク接続した視聴者管理部に回収の実施は、
・予め決められた定期的なタイミング（２４時間ごと）もしくは統合ＩＣカード６を初期リセット、すなわちＡＴＲ処理の後に実施することとし、
それぞれ到来するタイミングにおいて、ネットワークＩ／Ｆ１９、インターネット端末３を介して回収を実施する。なおネットワークＩ／Ｆ１９、インターネット端末３を介しての回収を実施するタイミングにおいて、統合ＩＣカード６の視聴情報メモリに情報の蓄積が無い場合回収を実施することはしない。また、ネットワーク接続できなかった場合も含め、前記による回収の実施以外は電話モデム２０を通じて回収する。
【００９３】
統合ＩＣカード６において、ＩＣカード内の不揮発メモリ領域の少なくとも一部をＳ−ＣＡＳ用すなわちサーバ型放送用に使用するメモリとＢ−ＣＡＳ用すなわち従来の放送受信用に使用するメモリとの共用とし、統合ＩＣカード６が図４に示す受信装置１で使用される場合には、Ｂ−ＣＡＳ用として使用するメモリの容量を増やし、統合ＩＣカード６が図１もしくは図６の受信装置１に使用され、ネットワーク接続されている場合には、Ｓ−ＣＡＳ用として使用するメモリの容量を増やすことができる。
【００９４】
具体的にはＢ−ＣＡＳ用として使用するメモリは、Ｂ−ＣＡＳ用視聴情報メモリとして使用し、Ｓ−ＣＡＳ用として使用するメモリは、Ｓ−ＣＡＳ用のリボケーションリスト、クライアント証明書、サーバ証明書メモリとして使用する。ここでリボケーションリストとは使用不可の受信機を示すリストであって、受信装置１に個別あるいは機種ごとなどの単位で個別のＩＤや鍵が割り付けられ、受信装置１内の不揮発なメモリ内に製造時等において書き込まれており、その個別性ごとに放送提供側が受信機能の無効化を施すためのリストである。例えば、受信機の出力機能として放送局がＳＩ／ＰＳＩ等で設定したコピー制御情報（コピー１回、コピー不可など）の情報に受信機が反応しないように改造されてしまうなど、放送提供側として許容できない状態になった場合に個別のＩＤをリボケーションリストに掲載し統合ＩＣカード６に伝送する。リボケーションリストを受信した統合ＩＣカード６は、カード内の不揮発メモリに記憶し、ＡＴＲ処理時など受信処理時に行う受信装置１との認証処理時等で受信装置１の個別のＩＤを受信し、カード内の不揮発メモリに記憶したリボケーションリストと比較して、視聴可能か否かの判定を行う。なおリボケーションリストの伝送にあたっては例えば、ＥＭＭ、ＥＣＭに多重するなど、暗号化して放送局から統合ＩＣカード６まで改ざん無く伝送される必要がある。
【００９５】
クライアント証明書は、ＡＴＲ処理時など受信処理時に行う統合ＩＣカード６と受信装置１との認証処理をＰＫＩで行う場合に使用する情報、サーバ証明書は、視聴情報収集時や、サーバ型放送視聴時に統合ＩＣカード６とサーバとの認証処理をＰＫＩで行う場合に使用する情報である。
【００９６】
前記統合ＩＣカード６と受信装置１との認証処理とは、例えば図９に示すような処理である。図９は、認証方法として公開鍵を利用した場合であって、例えばＰＫＩ（Public Key Infrastructure）が利用されている。ＰＫＩにおいては、信頼のおける機関による証明書を利用することが必要である。図９の５８がその証明書である。本受信機認証においては、統合ＩＣカードを提供する団体が証明書を発行しても良いし、その他の信頼のおける機関が発行しても良い。前記クライアント証明書とは、この５８がそれに相当する証明書である。
【００９７】
このＰＫＩを使用した認証の一例を以下に示す。
【００９８】
（１）統合ＩＣカードは、受信機から取得した受信機の証明書と受信機の公開鍵を５１にて検証する。この受信機の証明書には、少なくとも受信機の公開鍵と信頼のおける機関（認証局：Certification Authority、以下ＣＡと記す）によるデジタル署名が入っており、統合ICカードは受信機の証明書内の受信機の公開鍵と受信機から取得した受信機の公開鍵とが同一であるかどうかを評価する。同じであるならば、統合ＩＣカードは当該受信機が正当な公開鍵を少なくとも保有していることがわかる。以上、ここまでである程度の検証はできるが、より安全に認証するために、例えば引き続き以下の処理を行う。
【００９９】
（２）次に統合ＩＣカードは、乱数生成器５３にて乱数ｒを生成するとともに、暗号器５２において受信機の公開鍵にて暗号化した後、受信機に渡す。なお、乱数ｒは生成の都度異なるものとなるようにするほうが望ましい。すなわち前回の認証処理において仮に乱数ｒや暗号化後データを盗聴することができても今回の認証において流用することを不可能とするためである。
【０１００】
（３）受信機は、受信機の公開鍵にて暗号化された乱数ｒを、復号器５１１において受信機の秘密鍵にて復号化する。
【０１０１】
（４）続いて受信機は、復号化し得られた乱数ｒ’を暗号器５１２において統合ＩＣカードの公開鍵にて暗号化した後、統合ＩＣカードへ渡す。
【０１０２】
（５）統合ＩＣカードでは復号器５５において、統合ＩＣカードの秘密鍵にて復号化する。この復号した結果が、乱数生成器５３にて生成した乱数ｒと一致するか否かを検証部５７にて検証する。もし一致すれば、当該受信機は受信機の公開鍵とペアになる秘密鍵を所有しており、この秘密鍵にて復号処理し、統合ＩＣカードで生成した乱数ｒを取得できたということが確認できたことになる。
【０１０３】
以上説明した認証の一例では、受信機の証明書で証明されるのは、受信機の公開鍵のみであったが、受信機の証明書に有効期限をつける場合もある。すなわち、統合ＩＣカードにおいて受信機の証明書を使用した検証を行う際に、受信機の証明書内の有効期限を参照し、有効期限が切れた受信機の証明書を拒否する場合もあり得る。これはセキュリティー管理の観点から、受信機の証明書を定期的に更新することを要求する場合の例である。受信機の証明書に有効期限がつけられた場合には、受信機は、例えば最新の受信機の証明書を図１に示すインターネットを通じて受信機の証明書を配布するサーバーにアクセスし、取得する。
【図面の簡単な説明】
【０１０４】
【図１】本発明に係る受信装置１の外観及び受信装置１においてＴＶ放送を視聴する際の設置環境を示す外観図である。
【図２】本発明に係る受信装置１の内部構成を示すブロック図である。
【図３】本発明に係る受信装置１における番組受信時の動作を示す機能ブロック図の一例である。
【図４】図３に示す本発明にかかる受信装置１がインターネット端末３と接続されていない状態であり、現行放送のみに対応した状態で機能しうる構成部のみを表示した機能ブロック図である。
【図５】統合ＩＣカード６内のＢ−ＣＡＳカード機能部６１についての機能ブロック図である。
【図６】図３に示す本発明にかかる受信装置１がサーバ型放送のサービスのみに対応した状態で機能しうる構成部のみを表示した機能ブロック図である。
【図７】統合ＩＣカード６内のＳ−ＣＡＳカード機能部６２についての機能ブロック図である。
【図８】受信装置１がネットワーク接続時において現行法送を受信する際の処理の１例を示すフローチャートである。
【図９】統合ＩＣカード６と受信装置１との認証処理の一例である。
【符号の説明】
【０１０５】
１、受信装置  ２、アンテナ  ３、インターネット端末  ４、電話回線端末
５、リモコン  ６、統合ＩＣカード  １１、ＣＰＵ  １２、メモリ  １３、通信部
１４、カード用Ｉ／Ｆ  １５、信号変換部  １６、画像表示部  １７、音声発生部
１８、受信部  １９、ネットワークＩ／Ｆ  ２０、電話モデム  ２１、リモコン用Ｉ／Ｆ
６１、Ｂ−ＣＡＳカード機能部  ６２、Ｓ−ＣＡＳカード機能部  ６３、切替部
１０１、選局部  １０２、切替部  １０３、分離部  １０４、デスクランブラ部
１０５、デコーダ部  １０６、モニタ部  １０７、スピーカ部  
１０８、フィルタリング部  １０９、ＩＤ記憶部  １１０、システムコントロール
１４１、カードスロット  １６１、モニタ  １７１、スピーカ
６１１、６２１、ＥＣＭ復号部  ６１２、６２２、ＥＭＭ復号部  ６１３、Ｋｍｉメモリ
６１４、ＥＭＭメモリ  ６１５、視聴可否判定部  ６１６、視聴情報メモリ
６２３、Ｋｐｓメモリ
【図１】
2007013685.tif 000003
【図２】
2007013685.tif 000004
【図３】
2007013685.tif 000005
【図４】
2007013685.tif 000006
【図５】
2007013685.tif 000007
【図６】
2007013685.tif 000008
【図７】
2007013685.tif 000009
【図８】
2007013685.tif 000010
【図９】
2007013685.tif 000011